(57)【要約】【課題】業務が効率良く遂行できるプラントの設計業務支援システムを提供する。【解決手段】プラントの設計業務に用いられる複数の端末をサーバに接続し、データとプログラムを共有する。サーバは端末に、設計に用いられるデータ、設計業務の標準化されたフローチャート、機器の形状図、配管図を表示させ、プログラムを提供する。業務の進捗状況と、端末に行われた入力操作と、端末から行われた計算の結果とはサーバに記録され、他の端末から閲覧できる。【選択図】　　　　図１
2004126951.tif 000002
【特許請求の範囲】
【請求項１】
サーバと、
第１端末とを具備し、
前記サーバは、設計業務の手順を少なくとも一つの業務ステップからなる手順として記述した設計フローデータと、前記業務ステップの各々が完了、処理中、未処理のいずれであるかを記録した進捗状況データとを格納し、
前記サーバは、前記設計フローデータと前記進捗状況データとを用いて前記少なくとも一つの業務ステップのうちの一つを現在の業務ステップとして自動的に選択し、
前記第１端末は、前記現在の業務ステップに対応する関連情報を表示する、
プラント設計業務支援システム。
【請求項２】
請求項１に記載のプラント設計業務支援システムにおいて、
前記関連情報は、設計者に入力を促す入力画面に関する情報を含む、
プラント設計業務支援システム。
【請求項３】
請求項２に記載のプラント設計業務支援システムにおいて、
前記入力画面に対してなされた入力操作が予め決められた手順に従っていないとき、前記第１端末は設計者に見直しを促すメッセージを出す、
プラント設計業務支援システム。
【請求項４】
請求項２または３の記載のプラント設計業務支援システムにおいて、
前記入力画面から入力されたデータを処理して得られたデータが予め設定された条件を満たさないとき、前記第１端末は設計者に見直しを促すメッセージを出す、
プラント設計業務支援システム。
【請求項５】
請求項１から４のいずれかに記載のプラント設計業務支援システムにおいて、
前記第１端末は、前記設計フローデータを用いて設計フローチャートを表示し、
前記設計フローチャートの中で完了した業務に対応するブロックと、処理中の業務に対応するブロックと、未処理の業務に対応するブロックとは、視覚的に区別されて表示される、
プラント設計業務支援システム。
【請求項６】
請求項１から５のいずれかに記載のプラント設計業務支援システムにおいて、
前記サーバはさらに、プラントを構成する機器の形状に関するデータである機器形状データを備え、
前記第１端末は、前記少なくとも一つの業務ステップのうち予め決められた業務ステップにおいて、機器形状設定値の入力を促す入力画面を表示し、
前記サーバは、前記機器形状データと前記機器形状設定値とを用いて、前記機器の形状図を作成し、前記第１端末に表示する、
プラント設計業務支援システム。
【請求項７】
請求項１から６のいずれかに記載のプラント設計業務支援システムにおいて、
前記サーバは、前記プラントの配管系が備える複数の構成要素の位置に関するデータである配管データを含み、
前記サーバは、前記少なくとも一つの業務ステップのうち予め決められた業務ステップにおいて、前記配管データを用いて配管図を作成し、前記第１端末に表示する、
プラント設計業務支援システム。
【請求項８】
請求項１から７のいずれかに記載のプラント設計業務支援システムにおいて、
更に第２端末を備え、
前記サーバと、前記第１端末と、前記第２端末とはネットワークで接続され、
前記進捗状況データは、前記第２端末から閲覧することができ、
前記第１端末と前記第２端末とは交換可能である、
プラント設計業務支援システム。
【請求項９】
請求項１から７のいずれかに記載のプラント設計業務支援支援システムにおいて、
更に第２端末を備え、
前記サーバと、前記第１端末と、前記第２端末とはネットワークで接続され、
前記第１端末から行われた操作と、前記操作の結果得られたデータとは、
前記第２端末から閲覧することができ、
前記第１端末と前記第２端末とは交換可能である、
プラント設計業務支援システム。
【発明の詳細な説明】
【０００１】
【発明の属する技術分野】
本発明は、プラントの設計業務支援システムに関する。
【０００２】
【従来の技術】
火力発電プラントに例示されるプラントの設計は、各種の業務を含む。各々の業務の詳細な手順は、各々の業務を担当する設計者に委ねられている。プラント設計業務の全体を管理する管理者は、各々の業務を担当する設計者に業務の進捗状況を尋ねることによって、プラント全体の設計の進捗状況を把握する。
【０００３】
原子力施設の計装システムの設計支援システムにおいて、設計に用いられる各種情報を一元的にデータベースで管理する技術が知られている（特許文献１参照）。
【０００４】
【特許文献１】特開２０００−２９２５８４号公報
【０００５】
【発明が解決しようとする課題】
本発明の目的は、業務が効率良く遂行できるプラントの設計業務支援システムを提供することである。
【０００６】
本発明の他の目的は、業務が標準化されたフォーマットによって行われるプラントの設計業務支援システムを提供することである。
【０００７】
本発明の更に他の目的は、業務の進行状況を把握することが容易なプラントの設計業務支援システムを提供することである。
【０００８】
本発明の更に他の目的は、業務の引き継ぎが容易なプラントの設計業務支援システムを提供することである。
【０００９】
【課題を解決するための手段】
以下に、［発明の実施の形態］で使用される番号を括弧付きで用いて、課題を解決するための手段を説明する。これらの番号は、［特許請求の範囲］の記載と［発明の実施の形態］との対応関係を明らかにするために付加されたものである。ただし、それらの番号を、［特許請求の範囲］に記載されている発明の技術的範囲の解釈に用いてはならない。
【００１０】
本発明におけるプラント設計業務支援システムは、サーバ（１）と、第１端末（２）とを具備している。
【００１１】
サーバ（１）は、設計フローデータ（６０１）と、進捗状況データ（６０２）とを備えている。設計フローデータ（６０１）は、設計業務の手順を少なくとも一つの業務ステップからなる手順として記述したデータである。進捗状況データ（６０２）は、業務ステップの各々が完了、処理中、未完了のいずれであるかを記録したデータである。
【００１２】
第１端末（２）は、設計フローデータ（６０１）と進捗状況データ（６０２）とを用いて、設計フローデータ（６０１）が含んでいる業務ステップのうちの一つを、現在の業務ステップとして自動的に選択し、現在の業務ステップに関連する関連情報を表示する。
【００１３】
表示される関連情報には、設計者に入力を促す入力画面（２１、２２）が含まれることがある。
【００１４】
入力画面（２１）に対してなされた入力操作が予め決められた手順（８０３）に従っていないとき、第１端末（２）は、設計者に見直しを促すメッセージを出す。
【００１５】
入力画面（２１、２２）から入力されたデータを処理して得られたデータが予め決められた条件（８０３）を満たしていないとき、第１端末（２）は、設計者に見直しを促すメッセージを出す。
【００１６】
第１端末（２）は、設計フローデータ（６０１）を用いて設計フローチャート（２３）を表示する。設計フローチャート（２３）の中で、完了した業務に対応するブロック（２４）と、処理中の業務に対応するブロック（２５）と、未完了の業務に対応するブロック（２６）とは、視覚的に区別されて表示される。
【００１７】
設計者は、完了した業務、処理中の業務及び未着手の業務を視覚的に確認しながら業務を行うため、業務の見通しが良くなる。
【００１８】
業務が設計フローデータ（５０２）に基づいて行われることで、業務の手順が標準化され、管理者など当該業務を担当する設計者以外の者にも、設計の進行状況が把握しやすくなる。さらに、設計者の引き継ぎが容易になる。
【００１９】
本発明におけるプラント設計業務支援システムは、プラントを構成する機器の設計業務に用いられることがある。その場合、サーバ（１）は機器の形状に関するデータである機器形状データ（１１）を備えている。第１端末（２）は、設計フローデータ（６０１）が含んでいる業務ステップのうち予め決められた業務ステップにおいて、機器形状設定値（図示しない）の入力を促す入力画面（２１）を表示する。サーバ（１）は、機器形状データ（１１）と機器形状設定値（図示しない）とを用いて、機器の形状図（２７）を作成し、第１端末（２）に表示する。
【００２０】
本発明におけるプラント設計業務支援システムは、プラントの配管系の設計に用いられることがある。その場合、サーバ（１）は、プラントの配管系が備えるパイプ、バルブ、タンクに例示される複数の構成要素の位置に関するデータである配管データ（図示しない）を含んでいる。サーバ（１）は、設計フローデータ（６０１）が含んでいる業務ステップのうち予め決められた業務ステップにおいて、配管図（３０）を作成し、第１端末（２）に表示する。
【００２１】
設計者が機器の形状図、配管系の配管図を視覚的に確認しながら業務を行うことで、業務が効率的に行われる。
【００２２】
本発明におけるプラント設計業務支援システムは、更に第２端末（３）を含んでいることがある。サーバ（１）と、第１端末（２）と、第２端末（３）とは、ネットワーク（４）で接続されている。進捗状況データ（６０２）は、第２端末（３）から閲覧することができる。第１端末（２）と第２端末（３）とは交換することができる。
【００２３】
更に、第１端末（２）から行われた操作とその操作の結果得られたデータ（１６）とは、サーバ（１）に保存されて、第２端末（３）から閲覧することができる。第１端末（２）と第２端末（３）とは交換することができる。
【００２４】
管理者または設計者は、任意の端末から進捗状況データ（６０２）を閲覧することで、各種の設計業務の進行状況を容易に把握することができる。更に、一つの端末からの操作によって行われた計算の結果は、他の端末から利用することができるため、重複して計算する無駄を防ぐことができる。
【００２５】
【発明の実施の形態】
本発明の実施の形態におけるプラント設計業務支援システムは、サーバ１と、ネットワーク４を介してサーバ１に接続された第１端末２を備えている。第１端末２は、パーソナルコンピュータまたはワークステーションで構成することができる。サーバ１にはさらに、第２端末３が接続されている。第１端末２と第２端末３とは交換可能である。
【００２６】
図１を参照して、サーバ１は、Ｗｅｂサイト５、設計フローデータベース６、設計フローチャート表示プログラム７、設計支援データベース８、計算ツール９、機器形状データ１１、機器形状図作成プログラム１２、配管・バルブ・タンク等の配管系の位置に関するデータである配管データ１３、配管図作成プログラム１４、業務管理データベース１５を格納している。
【００２７】
図２を参照して、設計フローデータベース６は、設計業務の手順を１または複数の業務ステップからなる手順として記述した設計フローデータ６０１と、各々の業務ステップが完了、処理中、未処理のいずれであるかを記録した進捗状況データ６０２を格納している。
【００２８】
図３を参照して、設計支援データベース８は、設計フローデータ６０１に含まれる業務ステップの各々に対応づけられた各種情報を含んでいる。各種情報には、関連資料リスト８０１、設計者に対して要求される入力操作を示した入力操作リスト８０２、設計者が操作した結果に対するチェック項目を示したチェック項目リスト８０３が含まれる。
【００２９】
図４を参照して、業務管理データベース１５は、第１端末２から受信した共有データ１６と共有データ１６を受信した日付１７とを格納している。
【００３０】
こうした構成を持つプラント設計業務支援システムは、以下のように動作する。
【００３１】
設計者が配管設計、機器設計に例示される設計業務に着手するとき、第１端末２はサーバ１にアクセスして、Ｗｅｂサイト５を表示する。図５を参照して、Ｗｅｂサイト５は、設計フローチャート画面２０、主画面２１、検索画面２２を備えている。
【００３２】
設計フローチャート画面２０には、設計フローチャート２３が表示される。設計フローチャートは、設計フローチャート表示プログラム７が、設計フローデータベース６、進捗状況データ６０２を参照して作成したものである。設計フローチャート２３を構成するブロックは、完了した業務ステップに対応するブロック２４は赤色、処理中の業務ステップに対応するブロック２５は緑色、未処理の業務ステップに対応するブロック２６は水色というように異なった色で表示される。
【００３３】
主画面２１には、関連資料リスト８０１を用いて、処理中の業務ステップに対応する関連資料が表示される。主画面２１には更に、入力操作リスト８０２を用いて、処理中の業務ステップに対応する入力欄２８が表示され、設計者に入力を促す。
【００３４】
更に、機器設計業務が行われる際、主画面２１に機器形状図２７が表示される。機器形状図２７は、機器形状データ１１と設計者が入力する図示しない形状設定値とを用いて、機器形状図作成プログラム１２によって作成される。主画面２１には更に、関連資料リスト８０１を用いて機器形状図２７に表示されている機器の関連情報が表示される。
【００３５】
更に、配管系の設計業務が行われる際には、主画面２１あるいは図示しない別画面に配管図３０が表示される。配管図３０は、配管図作成プログラム１４が配管データ１３に基づいて作成したもので、パイプ、バルブ、タンクに例示される配管系の構成要素を示すブロック３１と、構成要素の間の結合関係を示す結線３２とからなる。設計者は、配管図３０を見ながら、計算ツール４を用いて水撃計算あるいは応力・強度計算を行う。
【００３６】
検索画面２２は検索欄２９を備えている。設計者が検索欄２９に検索キーワードを入力すると、第１端末２はサーバ１から所望のプログラムあるいはデータを呼び出す。
【００３７】
Ｗｅｂサイト５に、当該業務ステップにおける業務が終了したことを示す操作がなされると、サーバ１はチェック項目リスト８０３を用いてチェックを行う。サーバ１は、入力操作が設計フローデータ６０１によって予め決められた手順に従っていないとき、第１端末２に業務の見直しを促す警告メッセージを表示する。サーバ１は、入力されたデータを処理して得られたデータの中で、機器の強度など、設計上重要である項目が予め決められた設計基準を満たしていないと判定すると、第１端末２に業務の見直しを促す警告メッセージを表示する。
【００３８】
上記チェックがパスされると、第１端末２は入力データと各種の計算結果とを共有データ１６としてサーバに送信し、サーバは共有データ１６を受信した日の日付１７とともに業務管理データベース１５に保存する。サーバ１は、第１端末２がどの業務ステップを完了したかに基づいて、進捗状況データ６０２を更新する。
【００３９】
設計者が設計業務を途中で中断し、後に設計業務を再開するとき、サーバ１は、設計フローデータベース６を用いて、Ｗｅｂサイト５に作業が中断された業務ステップの画面を表示する。設計者は、中断していた業務ステップから設計業務を開始する。
【００４０】
上述のような設計業務支援システムにおいて、設計業務は標準化された設計フローデータ５０２に基づいてなされていることによって、設計者が交替する場合、また経験の浅い設計者が担当になった場合、引き継ぎが容易になる。
【００４１】
更に、管理者または他の設計者は、ネットワーク４に接続された他の端末３から進捗状況データ６０２を閲覧することができ、業務の進捗状況を容易に把握することができる。
【００４２】
更に、設計者は標準化された設計フローチャート２３を見て完了した業務ステップ、処理中の業務ステップ、未処理の業務ステップを視覚的に確認しながら業務を行うことができるため、業務の見通しが良い。
【００４３】
更に、設計者は、機器形状図２７あるいは配管図３０を視覚的に確認しながら設計業務を行うことで、設計業務が直感的に行いやすくなる。
【００４４】
更に、各種のプログラムやデータがサーバ１で一元管理されることにより、そうしたプログラムやデータのメンテナンスやアップデートが効率的に行われる。
【００４５】
【発明の効果】
本発明におけるプラント設計業務支援システムによれば、プラントの設計業務が効率よく行われる。
【００４６】
また本発明におけるプラント設計業務支援システムによれば、業務が標準化されたフォーマットによって行われる。
【００４７】
また本発明におけるプラント設計業務支援システムによれば、業務の進行状況が容易に把握される。
【００４８】
また本発明におけるプラント設計業務支援システムによれば、業務の引き継ぎを容易に行うことができる。
【図面の簡単な説明】
【図１】図１は、本発明におけるプラント設計業務支援システムの実施の形態を示す図である。
【図２】図２は、設計フローデータベースの構成を示す。
【図３】図３は、設計支援データベースの構成を示す。
【図４】図４は、業務管理データベースの構成を示す。
【図５】図５は、Ｗｅｂサイトを示す図である。
【図６】図６は、配管図である。
【符号の説明】
１…サーバ
２…第１端末
３…第２端末
５…Ｗｅｂサイト
６…設計フローデータベース
７…設計フローチャート表示プログラム
８…設計支援データベース
９…計算ツール
１１…機器形状データ
１２…機器形状図作成プログラム
１３…配管データ
１４…配管図作成プログラム
１５…業務管理データベース
２０…フローチャート画面
２１…主画面
２２…検索画面
２３…設計フローチャート
２４…完了した業務を示すブロック
２５…処理中の業務を示すブロック
２６…未処理の業務を示すブロック
２８…入力欄
２９…検索欄
３０…配管図
３１…ブロック
３２…結線
【図１】
2004126951.tif 000003
【図２】
2004126951.tif 000004
【図３】
2004126951.tif 000005
【図４】
2004126951.tif 000006
【図５】
2004126951.tif 000007
【図６】
2004126951.tif 000008